(57)【要約】【課題】分割した２つのベース部材と熱交換器ホルダーとの隙間から熱交換器を通らない空気が風路内に流入するのを防止する。【解決手段】空気調和機の室内機１のベース１０は、第１ベース部材１１及び第２ベース部材１２からなり、ラインフローファン３の側端を回転可能に支持するファン支持部２０を備えている。ファン支持部２０は、第１ベース部材１１側に設けられた第１ファン支持片２１と、第２ベース部材１２側に設けられた第２ファン支持片２２とからなる。第１ファン支持片２１の上端には、第１凸部２１Ａが設けられており、第２ファン支持片２２の上端には、第１凸部２１Ａに固定される第２凸部２２Ａが設けられている。熱交換器ホルダー５には、ファン支持部２０の周縁に接触するように凹部５Ａが形成されており、凹部５Ａの第１凸部２１Ａ及び第２凸部２２Ａに当たる部位に凹状の収容部５Ｂが形成されている。【選択図】図１
2015161432.tif 000002
【特許請求の範囲】
【請求項１】
筐体内に熱交換器ユニットとラインフローファンとが収容された空気調和機の室内機であって、
前記ラインフローファンの長手方向に沿って分割された第１ベース部材及び第２ベース部材からなり、前記ラインフローファンの側端を回転可能に支持するファン支持部を備えたベースと、
前記熱交換器ユニットの側端に取り付けられ、前記熱交換器ユニットが前記ラインフローファンの外周に配置されるように前記ベース上に載置される熱交換器ホルダーと、
を備え、
前記ファン支持部は、前記ベースの底面から上方に向かって延びた板状の部材であって、前記第１ベース部材側に設けられた第１ファン支持片と、前記第２ベース部材側に設けられた第２ファン支持片とからなるものであり、
前記第１ファン支持片の上端には、第１凸部が設けられており、
前記第２ファン支持片の上端には、前記第１凸部に固定される第２凸部が設けられており、
前記熱交換器ホルダーには、前記ファン支持部の周縁に接触する凹部が形成されており、
前記凹部の前記第１凸部及び前記第２凸部に当たる部位に、前記第１凸部及び前記第２凸部を収容するための凹状の収容部が形成されている
ことを特徴とする空気調和機の室内機。
【請求項２】
前記第１凸部と前記第２凸部とは、固定部材を用いて固定されており、
前記熱交換器ホルダーは、前記固定部材により固定された前記第１凸部及び前記第２凸部を収容するものであることを特徴とする請求項１に記載の空気調和機の室内機。
【請求項３】
前記収容部には、前記第１凸部及び前記第２凸部の側面を覆う囲い部が設けられていることを特徴とする請求項１または２に記載の空気調和機の室内機。
【請求項４】
前記第１凸部と前記第２凸部とは、前記凹部に嵌め込まれて固定されていることを特徴とする請求項１〜３のいずれか１項に記載の空気調和機の室内機。
【請求項５】
前記ファン支持部は、周縁に第１フランジ部を有しており、
前記熱交換器ホルダーは、前記凹部の周縁に第２フランジ部を有しており、
前記熱交換器ホルダーは、前記第１フランジ部と第２フランジ部とが密着するように、前記ベース上に載置されていることを特徴とする請求項１〜４のいずれか１項に記載の空気調和機の室内機。
【発明の詳細な説明】
【技術分野】
【０００１】
本発明は、ラインフローファン及び熱交換器がベースに設置された空気調和機の室内機に関するものである。
【背景技術】
【０００２】
従来の空気調和機の室内機は、筐体内に風路を形成するベースが設けられた構造を有しており、ベースに熱交換器及びラインフローファンが支持されている（例えば特許文献１参照）。特許文献１において、ユニット本体は前面パネルと後板（ベース）とから構成されており、後板には凹状の送風路が形成されている。また、後板には、ラインフローファンを支持するために鉛直方向に向かって延びる板状の支持体が設けられており、支持体の内側にラインフローファンが配置され、支持体の外側に熱交換器を保持するための熱交換器ホルダーが載置されるようになっている。
【先行技術文献】
【特許文献】
【０００３】
【特許文献１】特開平９−６０９０７号公報
【発明の概要】
【発明が解決しようとする課題】
【０００４】
ところで、近年では、上述した支持体が分割されるようにベースを２つのベース部材を分割し、この２つのベース部材を組み合わせて１つのベースとして使用することが考えられている。この際、支持体も２つに分割し、ベース部材を結合させたときにラインフローファンを支持することが考えられる。この場合、支持体においてラインフローファンを確実に支持するためには、２分割したベース部材における支持体部分を例えばネジ等の固定部材を用いて固定する必要がある。上述したように、支持体の内側にはラインフローファンが設置され、支持体の外側には熱交換器ホルダーが設置されるために、支持体の側面にネジ等を締結するためのスペースを設けるのは難しい。よって、支持体の上部において２つのベース部材を結合させるための凸部を設けることが考えられる。
【０００５】
しかしながら、支持体の上部に凸部を設けた場合、熱交換器ホルダーと支持体との間に隙間が生じてしまい、ベース部材と熱交換器ホルダーとの隙間から熱交換器を通らない空気が風路内に流入する。すると、例えば冷房運転時において、湿った空気が風路やラインフローファンに結露し、露飛び又は露垂れ等が生じてしまう。
【０００６】
本発明は、上記のような課題を解決するためになされたもので、分割した２つのベース部材と熱交換器ホルダーとの隙間から熱交換器を通らない空気が風路内に流入するのを防止することができる空気調和機の室内機を提供することを目的とするものである。
【課題を解決するための手段】
【０００７】
本発明の空気調和機の室内機は、筐体内に熱交換器ユニットとラインフローファンとが収容された空気調和機の室内機であって、ラインフローファンの長手方向に沿って分割された第１ベース部材及び第２ベース部材からなり、ラインフローファンの側端を回転可能に支持するファン支持部を備えたベースと、熱交換器ユニットの側端に取り付けられ、熱交換器ユニットがラインフローファンの外周に配置されるようにベース上に載置される熱交換器ホルダーと、を備え、ファン支持部は、ベースの底面から上方に向かって延びた板状の部材であって、第１ベース部材側に設けられた第１ファン支持片と、第２ベース部材側に設けられた第２ファン支持片とからなるものであり、第１ファン支持片の上端には、第１凸部が設けられており、第２ファン支持片の上端には、第１凸部に固定される第２凸部が設けられており、熱交換器ホルダーには、ファン支持部の周縁に接触する凹部が形成されており、凹部の第１凸部及び第２凸部に当たる部位に、第１凸部及び第２凸部を収容するための凹状の収容部が形成されている。
【発明の効果】
【０００８】
本発明の空気調和機の室内機によれば、ベースが第１ベース部材と第２ベース部材に分割され、第１ベース部材と第２ベース部材を結合するためにファン支持部に第１凸部及び第２凸部を設けた場合であっても、第１ベース部材と第２ベース部材と熱交換器ホルダーにより風路内への外部からの空気流入を防止することができるため、筐体内に形成された風路内における着露を防止することができる。
【図面の簡単な説明】
【０００９】
【図１】本発明の空気調和機の室内機の実施形態１を示す分解斜視図である。
【図２】図１の室内機１における熱交換器ホルダーの取付状態を示す斜視図である。
【図３】図１の室内機における第１凸部及び第２凸部と収容部との関係を示す模式図である。
【図４】本発明の空気調和機の室内機の実施形態２を示す斜視図である。
【図５】図４の室内機における第１凸部及び第２凸部と収容部との関係を示す模式図である。
【図６】本発明の実施形態３に係る空気調和機の室内機における熱交換器ホルダーの収容部を示す模式図である。
【発明を実施するための形態】
【００１０】
実施形態１．
以下、図面を参照しながら本発明の空気調和機の室内機の実施形態について説明する。図１は本発明の空気調和機の室内機の実施形態１を示す分解斜視図、図２は図１の室内機１における熱交換器ホルダーの取付状態を示す斜視図であり、図１及び図２を参照して空気調和機の室内機１について説明する。なお、図１において、空気調和機の室内機１は、フロントパネルを取り外した状態の室内機１の分解斜視図を示したものである。室内機１は、例えば室内の壁に設置される壁掛け型の室内機であって、基台２、ラインフローファン３、熱交換器ユニット４、ベース１０等を備えている。基台２は、室内の壁等に設置されるものであって、基台２の下側にはベース１０が取り付けられている。
【００１１】
ベース１０は、例えば樹脂等の材料からなっており、吸引した空気を流通させるための風路を形成するために、底面に円弧形状の壁面を有するとともに、基台２側には傾斜した壁面を有している。また、ベース１０にはラインフローファン３を回転可能に支持するためのファン支持部２０が設けられている。ファン支持部２０は、ベース１０の底面から上方に延びる板状のものであり、上部が例えば円形状に成形されている。また、ファン支持部２０には、ラインフローファン３の回転軸をベアリング等を介して支持するための支持穴２０Ｈが形成されている。
【００１２】
ラインフローファン３は、例えばクロスフローファンまたは貫流ファン等からなり、基台２の上部から室内空気を吸い込み、吹出口から空調空気を吹き出すためのものである。ラインフローファン３は、吸込口から吹出口までの風路のうち、熱交換器ユニット４の下流側であって吹出口の上流側に設けられている。ラインフローファン３は、たとえば樹脂などの熱可塑性樹脂で構成される羽根車と、羽根車を回転させるためのモータと、モータの回転を羽根車に伝達させる回転軸とを有している（いずれも図示せず）。ラインフローファン３の一端側は、回転軸がベース１０の一側端側のファン支持部２０にベアリング等を介して回転可能に支持されている。一方、ラインフローファン３の他端側は、モータがベース１０の他側端側に載置され固定されている。
【００１３】
熱交換器ユニット４は、冷房運転時には蒸発器として機能して空気を冷却し、暖房運転時には凝縮器として機能して空気を加温するものである。熱交換器ユニット４は、基台２の上部背面側の吸込口から基台２の下部前面側の吹出口までの風路のうち、ラインフローファン３の上流側に設けられている。熱交換器ユニット４は、冷媒配管と冷媒配管にクロスして多数枚並設されたフィンからなり、ラインフローファン３の前面及び上面を取り囲むような形状を有している。具体的には、熱交換器ユニット４は、ラインフローファン３の前方側に位置する第１熱交換器４ａと、第１熱交換器４ａの上側において接続されており、上端側が後方へ傾斜した第２熱交換器４ｂと、第２熱交換器４ｂに上側で接続されており、後方下側へ傾斜した第３熱交換器４ｃとを有している。そして、これら３つの熱交換器４ａ〜４ｃは冷媒が連続して流れるようになっている。
【００１４】
熱交換器ユニット４の一端側には、熱交換器ユニット４を支持する樹脂製の熱交換器ホルダー５が取り付けられている。熱交換器ユニット４の一側端側（左側端側）はＵ字状のベント管が突出した状態になっており、熱交換器ホルダー５はベント管を覆うように取り付けられている。なお、熱交換器ユニット４の他側端側（右側端側）は、上記熱交換器ユニット４内を貫通する複数の冷媒管が配管されており、更に外部に設置された図示しない室外機と接続するための管継ぎ手等が設けられている。
【００１５】
熱交換器ホルダー５は、ファン支持部２０の外側に隣接するようにベース１０上に載置され、熱交換器ユニット４がベース１０上に熱交換器ホルダー５を介してベース１０に取り付けられる。ここで、熱交換器ホルダー５は、ファン支持部２０の外形に沿って形成された凹部５Ａを有し、凹部５Ａにおいてファン支持部２０の縁部に密着している。特に、ファン支持部２０の縁部には第１フランジ部２０Ｆが設けられており、熱交換器ホルダー５の凹部５Ａの縁部には第２フランジ部５Ｆが設けられている。そして、熱交換器ホルダー５の第２フランジ部５Ｆがファン支持部２０の第１フランジ部２０Ｆ上に密着されるように、熱交換器ホルダー５はベース１０に載置される。これにより、熱交換器ホルダー５とファン支持部２０との間に隙間が生じるのを防止することができ、ベース１０により形成された風路に側面側から外風が入り込むのを防止することができる。
【００１６】
次に、図１及び図２を参照して室内機１の動作例について説明する。室内機１において、ラインフローファン３を駆動すると、室内機１の上側から空気が吸い込まれ、吸い込まれた空気は熱交換器ユニット４において冷媒との間で熱交換され、冷気または暖気となった調和空気が生成される。そして、室内機１の下側から熱交換器ユニット４において生成された空調空気を室内に供給される。
【００１７】
ここで、上述したベース１０は、それぞれ別部材からなる第１ベース部材１１と第２ベース部材１２とが結合して構成されている。具体的には、第１ベース部材１１は基台２の下側に固定されており、第２ベース部材１２は第１ベース部材１１に固定されている。さらに、ファン支持部２０は、第１ベース部材１１側に設けられた第１ファン支持片２１と、第２ベース部材１２側に設けられた第２ファン支持片２２とからなっており、第１ファン支持片２１及び第２ファン支持片２２には、それぞれラインフローファン３の回転軸が挿入される支持穴２０Ｈが形成されている。そして、第１ファン支持片２１と第２ファン支持片２２とが結合することにより、ラインフローファン３が回転可能に支持されることになる。
【００１８】
図３は図１の空気調和機の室内機１における第１凸部２１Ａ及び第２凸部２２Ａと収容部５Ｂとの関係を示す模式図である。図１から図３に示すように、第１ファン支持片２１と第２ファン支持片２２とは、上端においてネジ等の固定部材８を用いて固定されている。具体的には、第１ファン支持片２１には上端から突出した第１凸部２１Ａが形成されており、第２ファン支持片２２にも上端から突出した第２凸部２２Ａが形成されている。なお、この第１凸部２１Ａ及び第２凸部２２Ａは、ラインフローファン３の中心の真上の位置に形成されている。そして、第１凸部２１Ａと第２凸部２２Ａとが突き合わされて第２凸部２２Ａ側からネジ止め等の固定部材８による固定が行われることにより、第１ファン支持片２１と第２ファン支持片２２とが互いに結合される。
【００１９】
一方、熱交換器ホルダー５には、第１凸部２１Ａ及び第２凸部２２Ａを収容するための収容部５Ｂが形成されている。そして、図３に示すように、熱交換器ホルダー５がベース１０上に載置された際、第１凸部２１Ａ及び第２凸部２２Ａが収容部５Ｂ内に収容されるようになっている。なお、図３に示すように、収容部５Ｂの深さが第１凸部２１Ａ及び第２凸部２２Ａの高さよりも大きくなるように形成されている場合、収容部５Ｂ側と第１凸部２１Ａ及び第２凸部２２Ａとの間の隙間を埋めるためのシール材が配置されるようにしてもよい。あるいは、第１凸部２１Ａ及び第２凸部２２Ａの高さと収容部５Ｂの深さとは同一に形成されていてもよい。
【００２０】
このように、ベース１０が第１ベース部材１１と第２ベース部材１２に分割され、第１ベース部材１１と第２ベース部材１２を結合するためにファン支持部２０に第１凸部２１Ａ及び第２凸部２２Ａを設けた場合であっても、第１ベース部材１１と第２ベース部材１２と熱交換器ホルダー５により風路内への外部からの空気流入を防止することができるため、筐体内に形成された風路内における着露を防止することができる。すなわち、ベース部材を第１ベース部材１１と第２ベース部材１２との２つに分割し、これを組み合わせてベース１０として使用した場合、ファン支持部２０の上部において第１ベース部材１１及び第２ベース部材１２を結合させるための凸部を設ける必要がある。しかしながら、支持体の上部に凸部を設けた場合、熱交換器ホルダー５と支持体との間に隙間が生じてしまい、ベース部材と熱交換器ホルダー５との隙間から熱交換器ユニット４を通らない空気が風路内に流入する。すると、例えば冷房運転時において、湿った空気が風路やラインフローファン３に結露し、露飛び又は露垂れ等が生じてしまう。
【００２１】
一方、図１から図３に示すように、熱交換器ホルダー５側に第１凸部２１Ａ及び第２凸部２２Ａを収容する収容部５Ｂを設けることにより、熱交換器ホルダー５はファン支持部２０のすべての周縁に密着させることができるため、分割した第１ベース部材１１及び第２ベース部材１２と熱交換器ホルダー５との隙間から熱交換器ユニット４を通らない空気が風路内に流入するのを防止することができる。
【００２２】
さらに、ファン支持部２０の周縁に第１フランジ部２０Ｆが設けられており、熱交換器ホルダー５の凹部５Ａの周縁に、第１フランジ部２０Ｆに密着する第２フランジ部５Ｆが設けられていることにより、ファン支持部２０と熱交換器ホルダー５とを隙間なく密着させることができるため、外部からの風路内への空気流入を確実に防止することができる。
【００２３】
実施形態２．
図４は本発明の空気調和機の室内機の実施形態２を示す斜視図、図５は図４の室内機における第１凸部及び第２凸部と収容部との関係を示す模式図であり、図４及び図５を参照して室内機１００について説明する。なお、図４及び図５の室内機１００において図２及び図３の室内機１と同一の構成を有する部位には同一の符号を付してその説明を省略する。図４及び図５の室内機１００が図２及び図３の室内機１と異なる点は、熱交換器ホルダー１０５における収容部１０５Ｂの構造である。
【００２４】
図４及び図５において、熱交換器ホルダー１０５の収容部１０５Ｂには、ファン支持部２０側に囲い部１０５Ｓが形成されている。よって、第１凸部２１Ａ及び第２凸部２２Ａが収容部１０５Ｂに挿入された際、第１凸部２１Ａと第２凸部２２Ａは、熱交換器ホルダー５の収容部１０５Ｂに前後左右上側を覆われた状態になる。
【００２５】
これにより、実施形態１と同様、第１ベース部材１１と第２ベース部材１２を結合するためにファン支持部２０に第１凸部２１Ａ及び第２凸部２２Ａを設けた場合であっても、第１ベース部材１１と第２ベース部材１２と熱交換器ホルダー１０５により風路内への外部からの空気流入を確実に防止することができる。
【００２６】
実施の形態３．
図６は本発明の実施形態３に係る空気調和機の室内機における熱交換器ホルダー２０５の収容部２０５Ｂを示す模式図であり、図６を参照して熱交換器ホルダー２０５について説明する。なお、図４及び図５の室内機１００において図２及び図３の室内機１と同一の構成を有する部位には同一の符号を付してその説明を省略する。図４及び図５の室内機１００が図２及び図３の室内機１と異なる点は、第１凸部２１Ａ及び第２凸部２２Ａが熱交換器ホルダー２０５の収容部２０５Ｂに嵌り込んで固定される点である。
【００２７】
図６に示すように、収容部の厚みＤ１０は、第１ベース部材１１の第１凸部２１Ａの厚みＤ１と、第２ベース部材１２の第２凸部２２Ａの厚みＤ２との合計の厚みＤ１＋Ｄ２になるように形成されている（Ｄ１０＝Ｄ１＋Ｄ２）。すると、第１凸部２１Ａ及び第２凸部２２Ａが前後に離れないようにしているので、第１凸部２１Ａと第２凸部２２Ａとを確実に固定することができる。なお、収容部２０５Ｂに囲い部１０５Ｓが形成されていない場合について例示しているが、図６の収容部２０５Ｂにおいても囲い部１０５Ｓが形成されていてもよい（図５参照）。この場合には、第１凸部２１Ａ及び第２凸部２２Ａを厚み方向だけでなく幅方向においても移動を規制し、第１凸部２１Ａと第２凸部２２Ａとを確実に固定することができる。
【符号の説明】
【００２８】
１、１００  空気調和機の室内機、２  基台、３  ラインフローファン、４  熱交換器ユニット、４ａ  第１熱交換器、４ｂ  第２熱交換器、４ｃ  第３熱交換器、５、１０５、２０５  熱交換器ホルダー、５Ａ  凹部、５Ｂ、１０５Ｂ、２０５Ｂ  収容部、５Ｆ  第２フランジ部、８  固定部材、１０  ベース、１１  第１ベース部材、１２  第２ベース部材、２０  ファン支持部、２０Ｆ  第１フランジ部、２０Ｈ  支持穴、２１  第１ファン支持片、２１Ａ  第１凸部、２２  第２ファン支持片、２２Ａ  第２凸部、１０５Ｓ  囲い部。
【図１】
2015161432.tif 000003
【図２】
2015161432.tif 000004
【図３】
2015161432.tif 000005
【図４】
2015161432.tif 000006
【図５】
2015161432.tif 000007
【図６】
2015161432.tif 000008